(57)【要約】【課題】通常のゲーム時や大当たりの特定遊技成立時においてアウト球を少なくするとともに、比較的大きなディスプレイを装着して狭くなった遊技領域を有効的に利用するパチンコ機を提供する。【解決手段】球止め部材２０とアウト口１８間の内レール６に遊技球Ａが通過する切欠き部を形成して入賞口２２とし、該入賞口は、前記内レール６の外側で遊技球４を遊技盤の裏面へ案内する案内通路２９と遊技球を感知する遊技球感知センサー３１とを設け、前記切欠き部に入った遊技球はセンサーで検知されて遊技盤の裏面に排出されることを特徴とする。【選択図】        図１
2004187698.tif 000002
【特許請求の範囲】
【請求項１】
遊技盤の外延に遊技領域を形成する円弧状の内、外レールを設け、該内外レールの接続部に球止め部材を設け、前記遊技領域の最下部にアウト玉を排出するアウト口を設けたパチンコ機において、前記球止め部材とアウト口間の内レールに遊技球が通過する切欠き部を形成して入賞口とし、該入賞口は、前記内レールの外側で遊技球を遊技盤の裏面へ案内する案内通路と遊技球を感知する遊技球感知センサーとを設け、前記切欠き部に入った遊技球は遊技盤の裏面へ排出されることを特徴とするパチンコ機。
【請求項２】
前記入賞口は、前記内レールの外側で遊技盤に貫通孔を設け、前記切欠き部から貫通孔に遊技球を案内する案内通路と遊技球感知センサーとを有した入賞口ケースを設け、該入賞口ケースを前記切欠き部と貫通孔に装着してなることを特徴とする請求項１記載のパチンコ機。
【請求項３】
前記入賞口は、前記内レールを形成するレール壁面と該レール壁面に設けた遊技球が通過する切欠き部と前記案内通路と遊技球感知センサーとを有した入賞口ケースを設け、該入賞口ケースを前記貫通孔に装着してなることを特徴とする請求項１乃至２記載のパチンコ機。
【請求項４】
前記入賞口は、前記内レールの内側にあるサイドランプに該サイドランプ内を横断する誘導路を設け、該サイドランプの誘導路を介して前記入賞口に遊技球が入るように設けたことを特徴とする請求項１乃至３記載のパチンコ機。
【発明の詳細な説明】
【０００１】
【発明が属する技術分野】
本発明はパチンコ機の入賞口に関し、より詳しくは遊技領域を形成するレールに入賞口を形成したパチンコ機に関するものである。
【０００２】
【従来の技術】
従来の第１種パチンコ機の例を図６に示す。パチンコ機１の盤面は、ベニヤ板２の表面にプラスチック製セル３を貼付して設けられ、盤面に円弧状の外レール５と内レール６を設けて遊技領域８を形成している。
【０００３】
遊技領域８の中央部にセンターケース９が設けられ、センターケース９の中央部には特別図柄表示装置１１が配置される。センターケース９の上部と下部左右に風車１２がそれぞれ配置される。センターケース９の下方に始動口１３が配置され、この始動口１３の左右に通過ゲート１４、入賞口１５が配置されている。始動口１３の下方に、左右両端部に入賞口１７と中央部に大入賞口１６を設けたアタッカー１７が配置される。アタッカー１７の下方で遊技領域８の最下端部にアウト口１８が配置され、センターケース９の左右端部で内レール６に接してサイドランプ１９が配置される。
【０００４】
始動口１３に遊技球が入賞すると特別図柄表示装置１１の図柄が変動を開始し、予め定められた特定の図柄に揃って停止すると、大当たりとなって大入賞口１６が所定数の遊技球入賞するまで開き、この動作が所定サイクル繰り返して行われ、遊技者は多くの賞球を得る。
また外レール５と内レール６の接続部の球止め部材２０位置に回転する球止め部材を一体に設け、遊技球が衝突する球止め部及び凹窪状のチャッカー部を設けてチャッカー部に遊技球が入ったら入賞する様に構成したものがある（特許文献２参照）。
【０００５】
【特許文献１】
特開２００１−７０５３７号公報（第１１頁、図１−図２）
【特許文献２】
特開平８−２４３２１７号公報（第５頁、図４−図６）
【０００６】
【発明が解決しようとする課題】
通常のパチンコ機１にあっては、遊技球の発射力を加減しないと、始動口１３等に入賞させることが困難で、大当たりとなった場合においても大入賞口１６に遊技球を集中的に入賞させることが難かしく、初心者においては折角大当たり状態となってもアウト球の発生が多くて、獲得する賞球が少なくなって遊技者の楽しみが減少する問題があった。  またパチンコ機１は遊技者の興趣を得るために大型のディスプレイを備えた図柄表示装置１１が多く採用され、このためセンターケース９が大きくなる傾向にあり、遊技領域８が狭められて、始動口１３や入賞口１５の設置スペースが限られたものになって、本来の遊技球が遊技領域内で不確実な運動をして遊技球の移動を楽しむ興趣が薄れる傾向にある問題があった。
【０００７】
また、特許文献２によって開示された技術は、外レール５の外周に沿って打ち出された遊技球を入賞させるものであり、球止め部材を回転するための回転駆動装置が必ず必要で、装置が大きくなっていた。また遊技球は球止め部材を狙って打つこととなるが、球止め部材が回転しているため、狙った位置に遊技球を打ったとしても球止め部材が３６０度回転する内の一瞬の賞球位置に合致して遊技球が来ていなければならず、入賞の確率は僅かの確率で、大部分が入賞できず、遊技の興趣が減退する問題があった。
本発明は、遊技球の発射力を加減することが苦手な初心者がプレーして、遊技球が内レール附近に流下しても入賞のチャンスが得られ、アウト球が少なくなること。
大型のディスプレイが採用されて遊技領域が狭くなっても、遊技球の落下で不規則な移動を行う釘の配置ゲージ構成が単純にならず、遊技領域を有効利用して楽しく遊戯できるパチンコ機を提供する。
【０００８】
【課題を解決するための手段】
上記課題を解決するために本発明のパチンコ機は、
遊技盤の外延に遊技領域を形成する円弧状の内、外レールを設け、該内外レールの接続部に球止め部材を設け、前記遊技領域の最下部にアウト玉を排出するアウト口を設けたパチンコ機において、前記球止め部材とアウト口間の内レールに遊技球が通過する切欠き部を形成して入賞口とし、該入賞口は、前記内レールの外側で遊技球を遊技盤の裏面へ案内する案内通路と遊技球を感知する遊技球感知センサーとを設け、前記切欠き部に入った遊技球は遊技盤の裏面へ排出される構成とした。
【０００９】
また前記入賞口は、前記内レールの外側で遊技盤に貫通孔を設け、前記切欠き部から貫通孔に遊技球を案内する案内通路と遊技球感知センサーとを有した入賞口ケースを設け、該入賞口ケースを前記貫通孔に装着してなることを特徴とするパチンコ機である。
また前記入賞口は、前記内レールを形成するレール壁面と該レール壁面に設けた遊技球が通過する切欠き部と前記案内通路と遊技球感知センサーとを有した入賞口ケースを設け、該入賞口ケースを貫通孔に装着してなることを特徴とするパチンコ機である。
また前記入賞口は、前記内レールの内側にあるサイドランプに該サイドランプを横断する誘導路を設け、該サイドランプの誘導路を介して前記入賞口に遊技球が入るように設けたことを特徴とするパチンコ機である。
【００１０】
本発明によれば、遊技領域内の球止め部材とは別に、内レールに入賞口を設けたから、遊技者は遊技領域内の入賞口の他、上記内レールの入賞口をも狙うことが出来る。また狙った内レールの入賞口に入れば必ず入賞する。従って遊技者の興趣が増す。更に実質的に遊技領域外に入賞口があるので、本来の遊技領域の面積が減少せず、パチンコ機本来の遊技球が落下する際の球の変化が損なわれず、初心者も楽しんでプレー出来る。
【００１１】
【発明の実施の形態】
本発明のパチンコ機の実施例について、図１〜図５を用いて説明する。
図１は本発明のパチンコ機の遊技盤を示し、内レールに入賞口を形成した実施例を示す。図２は本発明の入賞口の平面図、図３は図２の斜視図、図４は図２の縦断面図である。図１において外レール５と内レール６の接続部に球止め部材２０が設けられ、外レール５の内周に沿って発射された遊技球を遊技領域８の中央部へ導くように衝突面２１を設け、外レール５の終端部に配置されている。遊技領域の下部にはアウト口１８が設けられており、本発明の入賞口２２は球止め部材２０からアウト口１８の間の内レール６に設けられる。従って球止め部材２０に衝突した遊技球Ａは遊技領域８の中央部へ移動されて入賞のチャンスが得られ、また球止め部材２０より下部に落下した遊技球は内レール６に設けた入賞口２２に入賞のチャンスが得られる。
【００１２】
入賞口２２は、内レール６の一部６ｂ、６ｃを切り欠いて遊技球Ａが通過する入り口２３を形成し、遊技領域８の外側、即ち内レール切欠き部６ｂ、６ｃの外側位置で、遊技盤４を貫通する貫通孔２４を設け、そして切欠き部６ｂ、６ｃと貫通孔２４間に合成樹脂で一体成形した入賞口ケース２５を装着して形成される。
本実施例の入賞口ケース２５は、遊技盤４の表面に宛われるフランジ２６と遊技盤４に螺着するビス穴２７を有し、入り口２３部分は内レール６の切欠き部６ｂ、６ｃに嵌り合う溝２３ａ、２３ｂを有し、下部の出口部は遊技盤の貫通孔２４に臨む案内筒２８を有して、レールの切欠き部６ｂ、６ｃを溝２３ａ、２３ｂに、案内筒２８を貫通孔２４にそれぞれ装着して固定される。
入り口部２３から案内筒２８間に遊技球Ａの案内通路２９を形成し、案内通路２９の途中にセンサーホルダー３０を設けて遊技球通過センサー３１を装着してある。遊技球通過センサー３１は例えば電磁コイルで形成され、鋼球の遊技球が通過センサーに内蔵の誘導コイル３１を通過すると誘導電流が変化する電流変化を読み取って、電流変化で遊技球Ａの通過を検知する。
【００１３】
図１上側の入賞口ケース２５’は、上に向かう入り口部２３を設けて、釘Ｂや風車１２で弾発されて上方に向かう遊技球Ａのみ入り口２３を通過して入賞する。
図５に示す入賞口ケース２５”は内レール６のカーブに沿ったレール壁６”を備えた入賞口ケースで、レール６の切欠き幅寸法精度に余裕を持たせてレール壁６”に遊技球の入り口と案内通路２９を設けている。樹脂製レール壁６”の一方は例えば図１のストッパ２０と接続する迄の長さに長く形成してもよく、更に図５に示す様に、内レール６を樹脂製で形成し、樹脂製レール６と入賞口ケース２５”のレール壁６”とを嵌合する嵌合部を設けて嵌合結合し、内レールに入賞口ケースを設けてもよい。
【００１４】
入り口部２３から案内筒２８間に遊技球Ａの案内通路２９を形成し、案内通路２９は前面側に開口窓２９’を形成し、通路の途中にセンサーホルダー３０を設けて遊技球感知センサー３１を装着してある。案内通路２９の前面は遊技球Ａが案内通路２９から飛び出さない幅の開口窓２９’を設け、遊技者がこの開口窓２９’を通して、案内通路２９を通過する遊技球Ａを視認できる。
遊技球感知センサー３１は例えば近接スイッチや光センサ等で形成され、鋼製の遊技球Ａが遊技球感知センサーを通過すると、例えば近接スイッチや光センサの電気信号が遊技盤裏面の遊技球払い出し装置に送られ、遊技球払い出し装置で所定数の遊技球が払い出される。
【００１５】
本発明の入賞口２２は、内レール６の始端部から遊技領域８の最下端部アウト口１８間の内レール６に沿って配置される任意の箇所に設けられる。このため遊技領域８内左右に配置されたサイドランプ１９附近に入賞口を設ける場合は、サイドランプ１９の外側に入賞口２２が設けられ、サイドランプ１９内に遊技領域内の遊技球Ａを誘導する誘導路１９ａが設けられる。遊技球Ａは誘導路１９ａを介して入賞口２２に入る。
またより遊技領域８を有効に利用する場合は、図１に示すように入賞口２２が遊技盤の右側内レール６に２個設けられる。これにより更にアウト球が減少し、遊技領域８が有効に利用される。
【００１６】
遊技球Ａが風車１２及び障碍釘Ｂに当接して、入賞口２２に入ると、或いはサイドランプ１９に設けた誘導路１９ａから入賞口２２入ると、遊技球は入賞口ケース２５の案内通路２９を通って、センサーホルダー３０に装着された遊技球感知センサー３１を通過して検知され、案内通路２９の下端屈曲部に設けられた誘導傾斜部３２に当接して機台後方の案内筒２８内へ送られ、遊技盤４の裏面へ排出される。
【００１７】
なお、本実施例の入賞口ケース２２にはセンサーホルダーの前面カバー３３及び案内筒の前面カバー３４に有機ＥＬパネル３５が貼付されている。遊技球Ａが案内通路２９のセンサー３１を通過するとセンサーの検知信号が別途遊技盤裏面に設けられた制御装置に入力され、該制御装置からの出力信号によって、所定数の賞球が払い出され、同時に有機ＥＬパネル３５が発光し、例えば図柄や文字を動画表示する。このため、開口窓２９’から入賞する遊技球Ａを確認できると共に、前面カバー３３，３４に設けた有機ＥＬパネルの図柄又は動く文字表示を視認して、入賞したことを的確に遊技者が知ることが出来る。
【００１８】
【発明の効果】
本発明は、大型のディスプレイを装着して狭くなった遊技領域の有効利用を図ることができる。即ち、狭くなった遊技領域での入賞口装置の配置に困難が生じても、入賞口を内レールに設けたので実質的に遊技領域の面積が増え、入賞口装置を減らすことがない。また遊技球発射装置のハンドル調整を余り調節することなく発射した場合においても、入賞する可能性が増し、アウト球の発生が少なくなり遊技者の興趣は増す。
【図面の簡単な説明】
【図１】本発明の実施例のパチンコ機を示し、内レールに入賞口を形成した遊技盤の部分平面図である。
【図２】本発明の入賞口ケースを示す平面図である。
【図３】図２の入賞口ケースの斜視図である。
【図４】図２の入賞口ケースの縦断面図である。
【図５】本発明の別の実施例を示す入賞口ケースの平面図である。
【図６】従来のパチンコ機を示す平面図である。
【符号の説明】
１  パチンコ機、                  ４  遊技盤、
５  外レール、                    ６  内レール、
６’  レール壁                    ６ａ、６ｂ  内レールの切欠き部
８  遊技領域、                    ２０  球止め部材
２２  入賞口、                    ２３ａ、２３ｂ  嵌合溝
２５、２５’、２５”  入賞口ケース      ２６  フランジ
２７  ビス穴                      ２８  案内筒
２９  案内通路                    ２９’開口窓
３０  センサーホルダー、          ３１  遊技球感知センサー、
３２  誘導傾斜部                  ３３、３４  前面カバー
３５  有機ＥＬパネル。
【図１】
2004187698.tif 000003
【図２】
2004187698.tif 000004
【図３】
2004187698.tif 000005
【図４】
2004187698.tif 000006
【図５】
2004187698.tif 000007
【図６】
2004187698.tif 000008